(57)【要約】【課題】袋体の表面の摩耗を遅延させて、耐久性を大幅に向上させることができる起伏堰を提供する。【解決手段】水路１にコンクリート製の底部１ａと左右の側壁部１ｂとが構築され、この底部１ａに設けられた可撓性膜製の袋体２は、流体の供給で堰き止め方向に膨張するとともに、流体の排出で堰き止め解除方向に収縮するようになっている。袋体２が収縮したときに接触する底部１ａ若しくは側壁部１ｂの表面に、袋体２の摩耗を遅延させる平滑部材７（Ａ）が設置されている。【選択図】図１
0003171620.tif 000002
【実用新案登録請求の範囲】
【請求項１】
水路にコンクリート製の底部と左右の側壁部とが構築され、この底部に設けられた可撓性膜製の袋体は、流体の供給で堰き止め方向に膨張するとともに、流体の排出で堰き止め解除方向に収縮するようになった起伏堰において、
前記袋体が収縮したときに接触する前記底部の表面に、袋体の摩耗を遅延させる平滑部材が設置されていることを特徴とする起伏堰。
【請求項２】
水路にコンクリート製の底部と左右の側壁部とが構築され、この底部に設けられた可撓性膜製の袋体は、流体の供給で堰き止め方向に膨張するとともに、流体の排出で堰き止め解除方向に収縮する一方、前記袋体の上流側の底部に、上流側の堰き止め方向と下流側の堰き止め解除方向とに回動可能にクランプされた扉体が設けられ、前記袋体の膨張で扉体が堰き止め方向に回動されるとともに、前記袋体の収縮で扉体が堰き止め解除方向に回動されるようになった起伏堰において、
前記袋体が収縮したときに接触する前記底部の表面に、袋体の摩耗を遅延させる平滑部材が設置されていることを特徴とする起伏堰。
【請求項３】
前記袋体が膨張または収縮するときに両端部分が接触する前記側壁部の表面に、袋体の摩耗を遅延させる平滑部材がさらに設置されていることを特徴とする請求項１または２に記載の起伏堰。
【請求項４】
前記平滑部材は、エポキシ樹脂若しくはポリウレア樹脂であり、前記表面に平滑に塗布することで設置されていることを特徴とする請求項１〜３のいずれか一項に記載の起伏堰。
【請求項５】
前記平滑部材は、補強用鋼板をモールドした平滑な合成ゴム板であり、前記表面にアンカーボルトで固定することで設置されていることを特徴とする請求項１〜３のいずれか一項に記載の起伏堰。
【請求項６】
前記平滑部材は、平滑なステンレス鋼板であり、前記表面にアンカーボルトで固定することで設置されていることを特徴とする請求項１〜３のいずれか一項に記載の起伏堰。
【請求項７】
前記コンクリート製の底部と左右の側壁部とは、前記水路の上流側の湾曲部から下流側の直線部になる付近に構築されていることを特徴とする請求項１〜６のいずれか一項に記載の起伏堰。
【考案の詳細な説明】
【技術分野】
【０００１】
本考案は、起伏堰に関する。
【背景技術】
【０００２】
従来、図５に示すように、水路（河川）１にコンクリート製の底部１ａと左右の側壁部（不図示）とが構築されている。そして、この底部１ａに設けられた可撓性膜製の袋体２は、流体（空気等）の供給で堰き止め方向に膨張するとともに〔図５（ａ）参照〕、流体の排出で堰き止め解除方向に収縮する〔図５（ｂ）参照〕ようになった起伏堰がある（特許文献１参照）。
【０００３】
また、図６に示すように、袋体２の上流側の底部１ａに、上流側の堰き止め方向と下流側の堰き止め解除方向とに回動可能にクランプされた扉体３が設けられている。そして、袋体２の膨張で扉体３が堰き止め方向に回動されるとともに、袋体２の収縮で扉体３が堰き止め解除方向に回動されるようになった起伏堰（起伏ゲート）がある（特許文献２参照）。
【０００４】
特許文献１，２は、いずれもコンクリート製の底部１ａに可撓性膜製の袋体２を設ける構成である点で共通している。
【０００５】
ところで、図７（ａ）のように、水路（河川）１のコンクリート製の底部１ａと左右の側壁部（不図示）とを、水路１の上流側の時針回り方向の湾曲部１ｃから下流側の直線部１ｄになる付近に構築して、その位置に、起伏堰である袋体２を設けなければならない場合もある。
【０００６】
また、図７（ｂ）のように、水路（河川）１のコンクリート製の底部１ａと左右の側壁部（不図示）とを、水路１の上流側の反時針回り方向の湾曲部１ｃから下流側の直線部１ｄになる付近に構築して、その位置に、起伏堰である袋体２を設けなければならない場合もある。
【０００７】
しかしながら、水路１の上流側の湾曲部１ｃから下流側の直線部１ｄになる付近の位置に、起伏堰である袋体２を設けた場合、図７（ａ）の時針回り方向の湾曲部１ｃでは二点鎖線Ａで示す内側部分に、図７（ｂ）の反時針回り方向の湾曲部１ｃでは二点鎖線Ｂで示す内側部分に、それぞれ偏流や流況の乱れが生じる。
【先行技術文献】
【特許文献】
【０００８】
【特許文献１】特開２００５−３３６７６５号公報
【特許文献２】特開２００８−３０３６６１号公報
【考案の概要】
【考案が解決しようとする課題】
【０００９】
ここで、袋体２は、可撓性膜製であり、通常は、ゴム引き布（布材の両面にゴム材をコーティングしたシート材）が用いられている。
【００１０】
そして、このような偏流や流況の乱れが生じると、収縮したときに底部１ａの表面に接触する袋体２にばたつき（振動）が発生し、このばたつきで、袋体２の表面がコンクリート製の底部１ａの表面で擦られるようになる。コンクリート製の底部１ａの表面は、施工時にコテ等で平滑に仕上げられてはいるが、微少な凹凸が残ることは否めない。
【００１１】
その結果、図７（ｃ）のように、袋体２の表面のゴム材２ａが摩耗して内部の布材２ｂが露出することで、袋体２内の流体が漏れ出す、穴あき事故が発生するおそれがあった。このような穴あき事故が発生した場合、穴あき部分２ｃを補修することになるが、そのためには、補修の期間、その袋体２の付近の水流を空にするための大掛かりな土木工事等が必要となるから、穴あき事故の発生を少なくする、つまり袋体２の耐久性を向上させたいという要望があった。
【００１２】
本考案は、前記要望に応えるためになされたもので、袋体の表面の摩耗を遅延させて、耐久性を大幅に向上させることができる起伏堰を提供することを目的とするものである。
【課題を解決するための手段】
【００１３】
前記課題を解決するために、本考案の第１の手段は、水路にコンクリート製の底部と左右の側壁部とが構築され、この底部に設けられた可撓性膜製の袋体は、流体の供給で堰き止め方向に膨張するとともに、流体の排出で堰き止め解除方向に収縮するようになった起伏堰において、前記袋体が収縮したときに接触する前記底部の表面に、袋体の摩耗を遅延させる平滑部材が設置されていることを特徴とする起伏堰を提供するものである。
【００１４】
本考案の第２の手段は、水路にコンクリート製の底部と左右の側壁部とが構築され、この底部に設けられた可撓性膜製の袋体は、流体の供給で堰き止め方向に膨張するとともに、流体の排出で堰き止め解除方向に収縮する一方、前記袋体の上流側の底部に、上流側の堰き止め方向と下流側の堰き止め解除方向とに回動可能にクランプされた扉体が設けられ、前記袋体の膨張で扉体が堰き止め方向に回動されるとともに、前記袋体の収縮で扉体が堰き止め解除方向に回動されるようになった起伏堰において、前記袋体が収縮したときに接触する前記底部の表面に、袋体の摩耗を遅延させる平滑部材が設置されていることを特徴とする起伏堰を提供するものである。
【００１５】
前記袋体が膨張または収縮するときに両端部分が接触する前記側壁部の表面に、袋体の摩耗を遅延させる平滑部材がさらに設置されている構成とすることができる。
【００１６】
前記平滑部材は、エポキシ樹脂若しくはポリウレア樹脂であり、前記表面に平滑に塗布することで設置されている構成とすることができる。
【００１７】
前記平滑部材は、補強用鋼板をモールドした平滑な合成ゴム板であり、前記表面にアンカーボルトで固定することで設置されている構成とすることができる。
【００１８】
前記平滑部材は、平滑なステンレス鋼板であり、前記表面にアンカーボルトで固定することで設置されている構成とすることができる。
【００１９】
前記コンクリート製の底部と左右の側壁部とは、前記水路の上流側の湾曲部から下流側の直線部になる付近に構築されている構成とすることができる。
【考案の効果】
【００２０】
本考案の第１の手段によれば、袋体自体の膨張・収縮で、水路を堰き止め・堰き止め解除する起伏堰であり、袋体が収縮したときに接触するコンクリート製の底部の表面に、袋体の摩耗を遅延させる平滑部材を設置している。したがって、偏流や流況の乱れで、袋体にばたつき（振動）が発生し、このばたつきで、袋体の表面がコンクリート製の底部の表面に設置した平滑部材で擦られても、袋体の表面（ゴム材）が摩耗しにくいので、穴あき事故が発生するおそれが少なくなる。このように、袋体の表面の摩耗を遅延させて、耐久性を大幅に向上させることができる。
【００２１】
本考案の第２の手段によれば、袋体の膨張・収縮で扉体を起伏させることで、水路を堰き止め・堰き止め解除する起伏堰であり、袋体が収縮したときに接触するコンクリート製の底部の表面に、袋体の摩耗を遅延させる平滑部材を設置している。したがって、第１の手段と同様に、袋体の表面の摩耗を遅延させて、耐久性を大幅に向上させることができる。
【００２２】
請求項３によれば、袋体が膨張または収縮するときに両端部分が接触する側壁部の表面に、袋体の摩耗を遅延させる平滑部材を設置している。したがって、袋体の表面の両端部分の摩耗も遅延させることができるから、耐久性を大幅に向上させることができる。
【００２３】
請求項４によれば、平滑部材として、エポキシ樹脂若しくはポリウレア樹脂を、コンクリート製の底面若しくは側壁部の表面に平滑に塗布するだけであるから、施工が容易であり、袋体の補修時に併せて既存の起伏堰にも適用することができる。
【００２４】
請求項５によれば、平滑部材として、補強用鋼板をモールドした平滑な合成ゴム板を、コンクリート製の底面若しくは側壁部の表面にアンカーボルトで固定するだけであるから、施工が容易であり、袋体の補修時に併せて既存の起伏堰にも適用することができる。
【００２５】
請求項６によれば、平滑部材として、平滑なステンレス鋼板を、コンクリート製の底面若しくは側壁部の表面にアンカーボルトで固定するだけであるから、施工が容易であり、袋体の補修時に併せて既存の起伏堰にも適用することができる。
【００２６】
請求項７によれば、水路（河川）の上流側の湾曲部から下流側の直線部になる付近に生じる偏流や流況の乱れで、袋体にばたつき（振動）が発生し、袋体の表面が平滑部材で擦られても、袋体の表面（ゴム材）が摩耗しにくいので、穴あき事故が発生するおそれが少なくなる。したがって、穴あき部分を補修するための大掛かりな土木工事等の回数が大幅に減少するようになる。
【図面の簡単な説明】
【００２７】
【図１】本考案の実施形態の起伏堰の要部斜視図である。
【図２】図１の要部拡大図である。
【図３】（ａ）は水路に構築されたコンクリート製の底部と左右の側壁部の斜視図、（ｂ）は図３（ａ）のＩ−Ｉ線拡大断面図、（ｃ）は図３（ａ）のＩＩ−ＩＩ線拡大断面図である。
【図４】平滑部材であるエポキシ樹脂若しくはポリウレア樹脂の塗布要領の斜視図である。
【図５】特許文献１の起伏堰であり、（ａ）は袋体の膨張時の側面断面図、（ｂ）は袋体の収縮時の側面断面図である。
【図６】特許文献２の起伏堰であり、（ａ）は袋体の膨張時の側面断面図、（ｂ）は袋体の収縮時の側面断面図である。
【図７】（ａ）（ｂ）は、それぞれ起伏堰を設置した水路（河川）の平面図、（ｃ）は袋体の摩耗箇所の正面図である。
【考案を実施するための形態】
【００２８】
以下、本考案を実施するための形態について、図面を参照しながら詳細に説明する。なお、背景技術と同一構成・作用の箇所は、同一番号を付して詳細な説明を省略する。
【００２９】
図１は水路（河川）１の起伏堰５の要部斜視図、図２は図１の要部拡大図である。図３（ａ）は水路１に構築されたコンクリート製の底部１ａと左右の側壁部１ｂの斜視図、図３（ｂ）は図３（ａ）のＩ−Ｉ線拡大断面図、図３（ｃ）は図３（ａ）のＩＩ−ＩＩ線拡大断面図である。図４は平滑部材であるエポキシ樹脂若しくはポリウレア樹脂の塗布要領の斜視図である。
【００３０】
図１と図２の起伏堰５は、図７（ａ）（ｂ）のように、水路（河川）１のコンクリート製の底部１ａと左右の側壁部１ｂとは、水路１の上流側の湾曲部１ｃから下流側の直線部１ｄになる付近に構築されている。
【００３１】
そして、この底部１ａに設けられた可撓性膜製の袋体２は、特許文献１と同様に、流体の供給で堰き止め方向に膨張するとともに、流体の排出で堰き止め解除方向に収縮するようになる。本実施形態では、幅の広い（例えば数１０ｍ）水路１であり、側壁部１ｂが水路１の幅方向に一定の間隔で幾つか構築されて、隣り合う左右の側壁部１ｂの間の底部１ａに袋体２がそれぞれ設けられている。
【００３２】
袋体２は、可撓性膜、例えばゴム引き布を横長枕形状に丸めて、気密封止状態で形成され、上流側の重合端部がアンカーボルト（図４参照）４で底部１ａに固定されている。袋体２の可撓性膜（例えばゴム引き布）の厚みは、例えば８〜１２ｍｍである。
【００３３】
袋体２には、流体給排用の給排管（不図示）が接続されて、陸上の流体供給源（例えばエアーコンプレッサ）から給排管を介して流体が供給されることで膨張し、給排管を介して流体が排出されることで収縮するように制御される。
【００３４】
袋体２は、流体の排出で堰き止め解除方向に収縮した際には、横長長方形状に偏平となるから、下面部分２ｄはコンクリート製の底部１ａの表面（上面）に接触するようになる。
【００３５】
また、袋体２の表面の両端部分２ｅは、流体の排出で堰き止め解除方向に収縮する際、および流体の供給で堰き止め方向に膨張する際には、コンクリート製の側壁部１ｂの表面（内側面）に接触しながら（擦りながら）膨張・収縮するようになる。
【００３６】
そこで、袋体２が収縮したときに下面部分２ｄが接触するコンクリート製の底部１ａの表面に、袋体２の摩耗を遅延させる平滑部材７（Ａ）を設置する。
【００３７】
この平滑部材７（Ａ）は、例えば、エポキシ樹脂若しくはポリウレア樹脂であり、底部１ａの表面に平滑に塗布することで設置する。この塗布厚さｔ１〔図３（ｂ）参照〕は、例えば２〜４ｍｍである。
【００３８】
エポキシ樹脂としては、耐水性、耐摩耗性のある、例えば日本シーカ社製のシーカデュア３２を用いることができる。
【００３９】
エポキシ樹脂等の塗布要領は、図４のように、底部１ａの表面をチッピングし、清掃した後に、作業員１０が塗布ローラ１１で底部１ａの表面に平滑に塗布する。
【００４０】
また、袋体２が膨張・収縮する際に、袋体２の表面の両端部分２ｅが接触するコンクリート製の側壁部１ｂの表面に、袋体２の摩耗を遅延させる平滑部材７（Ｂ）を設置する。
【００４１】
この平滑部材７（Ｂ）は、例えば、図３（ｃ）のように、補強用鋼板７ａをモールドした平滑な合成ゴム板７ｂであり、側壁部１ｂの表面に、補強用鋼板７ａの貫通穴７ｃを利用してアンカーボルト１２で固定する。この合成ゴム板７ｂの厚さｔ２〔図３（ｃ）参照〕は、例えば１０〜２０ｍｍである。なお、アンカーボルト１２の頭部１２ａの穴部分はゴムキャップ１３で塞ぐ。
【００４２】
平滑部材７（Ｂ）は、側壁部１ｂの表面積が広い場合には、１枚物である必要はなく、図４のように、複数枚（本例では９枚）に分割して、隙間無く敷き並べるようにしてもよい。
【００４３】
なお、底部１ａの表面に平滑部材７（Ｂ）を設置することもでき、側壁部１ｂの表面に平滑部材７（Ａ）を設置することもできる。
【００４４】
また、平滑部材７（Ｃ）として、図示しないが、平滑なステンレス鋼板を用いることもでき、底部１ａ若しくは側壁部１ｂの表面に、平滑部材７（Ｂ）と同様に、アンカーボルトで固定することで設置することもできる。このステンレス鋼板の厚さは、例えば２〜３ｍｍである。
【００４５】
前記のように、袋体２自体の膨張・収縮で、水路を堰き止め・堰き止め解除する起伏堰５では、袋体２が収縮したときに接触するコンクリート製の底部１ａの表面に、袋体２の摩耗を遅延させる平滑部材７（Ａ）〔７（Ｂ），７（Ｃ）も含む。〕を設置している。したがって、偏流や流況の乱れで、袋体２にばたつき（振動）が発生し、このばたつきで、袋体２の表面がコンクリート製の底部１ａの表面に設置した平滑部材７（Ａ）で擦られても、袋体２の表面（ゴム材）が摩耗しにくいので、穴あき事故が発生するおそれが少なくなる。このように、袋体２の表面の摩耗を遅延させて、耐久性を大幅に向上させることができる。
【００４６】
また、袋体２が膨張または収縮するときに両端部分２ｅが接触する側壁部１ｂの表面に、袋体２の摩耗を遅延させる平滑部材７（Ｂ）〔７（Ａ），７（Ｃ）も含む。〕を設置している。したがって、袋体２の表面の両端部分２ｅの摩耗も遅延させることができるから、耐久性を大幅に向上させることができる。
【００４７】
因みに、室内試験ではあるが、コンクリート表面、エポキシ樹脂面、合成ゴム板面に、それぞれ袋体２を押し付けて、繰り返し擦る試験を行った結果、袋体２に穴あきが発生する擦り回数は、以下の通りであった。
【００４８】
コンクリート面  ５０〜１００回
エポキシ樹脂面  １０，０００回〜１２，０００回
合成ゴム板面    １０，０００回〜１５，０００回
この試験の結果、平滑部材７（Ａ，Ｂ）による摩耗量は、コンクリートによる摩耗量の１／１００以下であることが分かった。
【００４９】
一方、平滑部材７（Ａ）としてのエポキシ樹脂若しくはポリウレア樹脂は、コンクリート製の底部１ａ若しくは側壁部１ｂの表面に平滑に塗布するだけであるから、施工が容易であり、袋体２の補修時に併せて既存の起伏堰にも適用することができる。
【００５０】
また、平滑部材７（Ｂ）としての合成ゴム板は、コンクリート製の底部１ａ若しくは側壁部１ｂの表面にアンカーボルト１２で固定するだけであるから、施工が容易であり、袋体２の補修時に併せて既存の起伏堰にも適用することができる。
【００５１】
さらに、平滑部材７（Ｃ）としてのステンレス鋼板は、コンクリート製の底部１ａ若しくは側壁部１ｂの表面にアンカーボルトで固定するだけであるから、施工が容易であり、袋体２の補修時に併せて既存の起伏堰にも適用することができる。
【００５２】
そして、コンクリート製の底部１ａと左右の側壁部１ｂとが、水路１の上流側の湾曲部１ｃから下流側の直線部１ｄになる付近に構築されていると、湾曲部１ｃから直線部１ｄになる付近に生じる偏流や流況の乱れで、袋体２にばたつき（振動）が発生し、袋体２の表面が平滑部材７（Ａ〜Ｃ）で擦られても、袋体２の表面（ゴム材）が摩耗しにくいので、穴あき事故が発生するおそれが少なくなる。したがって、穴あき部分を補修するための大掛かりな土木工事等の回数が大幅に減少するようになる（前記の摩耗量からして１／１００回以下）。
【００５３】
前記実施形態は、図５の背景技術と同様に、袋体２自体の膨張・収縮で、水路を堰き止め・堰き止め解除する起伏堰５であったが、図６の背景技術と同様に、袋体２の膨張・収縮で扉体３を起伏させることで、水路１を堰き止め・堰き止め解除する起伏堰にも適用できることは言うまでもない。
【００５４】
前記実施形態では、コンクリート製の底部１ａ若しくは側壁部１ｂの表面の略全面に平滑部材７（Ａ〜Ｃ）を設置したが、図７（ａ）（ｂ）のように、偏流や流況の乱れが生じるＡ，Ｂの部分で、袋体２にばたつき（振動）が発生する等して、コンクリート製の底部１ａの表面で擦られるおそれのある箇所だけに、平滑部材７（Ａ〜Ｃ）を設置することもできる。この場合には、平滑部材７（Ａ〜Ｃ）の使用量および施工の手間を削減することができる。
【符号の説明】
【００５５】
１    水路（河川）
１ａ  底部
１ｂ  側壁部
１ｃ  湾曲部
１ｄ  直線部
２    袋体
２ｄ  下面部分
２ｅ  両端部分
３    扉体
５    起伏堰
７（Ａ〜Ｃ）  平滑部材
【図１】
0003171620.tif 000003
【図２】
0003171620.tif 000004
【図３】
0003171620.tif 000005
【図４】
0003171620.tif 000006
【図５】
0003171620.tif 000007
【図６】
0003171620.tif 000008
【図７】
0003171620.tif 000009